(57)【要約】【課題】  複雑な構造にならずにクリーニングテープの使用範囲を正確に割り出すことができるクリーニングテープカートリッジ、ヘッドクリーニング方法及び磁気テープドライブ装置を提供する。【解決手段】  リール１３に巻回された走行テープをカートリッジケース１１に内蔵してなるテープカートリッジであって、走行テープが、ヘッドをクリーニングするためのクリーニングテープ１５を有し、クリーニングテープ１５にサーボ信号が記録されている。【選択図】  図１
2006179058.tif 000002
【特許請求の範囲】
【請求項１】
リールに巻回されたテープをカートリッジケースに内蔵してなるテープカートリッジであって、
前記テープが、ヘッドをクリーニングするためのクリーニングテープを有し、該クリーニングテープにサーボ信号が記録されていることを特徴とするクリーニングテープカートリッジ。
【請求項２】
前記クリーニングテープの少なくとも始端側にデータの記録再生が可能な記録再生区間を有し、該記録再生区間に前記クリーニングテープの管理情報が記録されていることを特徴とする請求項１記載のクリーニングテープカートリッジ。
【請求項３】
前記管理情報が、前回使用終了時までのテープ終端到達回数を含むことを特徴とする請求項２記載のクリーニングテープカートリッジ。
【請求項４】
前記管理情報が、前回使用時におけるクリーニング終了位置を含むことを特徴とする請求項２又は請求項３記載のクリーニングテープカートリッジ。
【請求項５】
記録再生ヘッドを備えた磁気テープドライブ装置のヘッドクリーニング方法であって、
ドライブ装置に装填した請求項１〜請求項４のいずれか１項記載のクリーニングテープカートリッジからテープ始端を引き出し、前記ドライブ装置の記録再生ヘッドがサーボ信号の検出動作をしながら、前記テープを前記ドライブ装置の巻き取りリールに巻き付けるステップと、
前記テープからサーボ信号が検出された場合に、前記記録再生ヘッドにより前記テープカートリッジに関する管理情報を読み取るステップと、
前記管理情報に基づいて前記テープカートリッジを今回のクリーニング開始位置まで早送りするステップと、
クリーニング開始位置から所定期間、記録再生ヘッドのクリーニングを行うステップと、
クリーニング終了後、前記巻き取りリールから前記テープカートリッジにテープを巻き戻すステップと、
前記管理情報を読み取ったテープ領域に今回のクリーニングに対する管理情報を記録するステップと、
を有することを特徴とするヘッドクリーニング方法。
【請求項６】
記録再生ヘッドを備えた磁気テープドライブ装置であって、
装填されたカートリッジがクリーニングテープカートリッジであるかを識別するドライブ側識別手段と、
前記ドライブ側識別手段がクリーニングテープカートリッジを識別した場合、請求項５記載のヘッドクリーニング方法に基づいてテープ走行を制御する制御部と、を備えたことを特徴とする磁気テープドライブ装置。
【発明の詳細な説明】
【技術分野】
【０００１】
本発明は、磁気テープドライブ装置の磁気ヘッドのクリーニングを行うクリーニングテープカートリッジ及びヘッドクリーニング方法並びに磁気テープドライブ装置に関する。
【背景技術】
【０００２】
従来、磁気テープカートリッジ及び磁気テープドライブ装置を長時間使用すると、磁気テープと磁気ヘッドとの摩擦によって磁気テープから磁性粉等が脱落する現象が発生することが指摘されている。これら脱落した磁性粉等が例えば磁気ヘッドの近傍に付着した場合、磁気ヘッド表面から磁気テープを離間させるいわゆるスペーシングロスが発生し電磁変換特性を悪化させる。また、走行系のガイド部に付着した場合は、磁気テープが正規のテープパスを走行することを妨げたりする懸念があった。
【０００３】
そして、これらの現象は、再生出力レベルの低下やエラーレート増大などの磁気テープドライブの性能劣化を誘起する。このような性能劣化を回避させるため、ラッピングテープや研磨力の高いクリーニングテープを磁気テープと同じようにして、磁気ヘッドもしくはガイド上に走行させるクリーニング作業が行われている。
【０００４】
このようなクリーニングテープは、磁気ヘッドに付着した汚れをクリーニングする効果があるが、その効果は初期使用時に最も高くなり、使用する度に徐々に低下することになる。そのため、必要最低限のクリーニング効果を確実に得るためには、クリーニングテープの使用範囲を記録し、未使用範囲、もしくは、なるべく使用が少ない範囲を正確に割り出し、その範囲を積極的に使用することが肝要である。
【０００５】
従来のクリーニングテープカートリッジの一例として、それぞれ用途の異なる複数のテープ区間を設けて、これらのテープ区間に、管理可能な管理情報を記録するＭＩＣ（メモリ）を備えたものがある（例えば、特許文献１参照）。
【０００６】
このようなクリーニングテープカートリッジでは、テープドライブ装置側で、ＭＩＣに格納される管理情報に基づいて複数のテープ区間を有効に利用してクリーニング動作が実行される。
【０００７】
【特許文献１】特開２００２−０６３７０５号公報
【発明の開示】
【発明が解決しようとする課題】
【０００８】
ところが、上記特許文献１では、クリーニングテープの使用範囲、使用回数等を記録するようにしてはいるものの、それらの情報を記録するためのＭＩＣをクリーニングテープカートリッジに内蔵しているために、複雑な構造になってコスト面で不利である。また、位置を算出するために精度の低いロータリーエンコーダーの回転数からの計算を用いているので、正確な管理情報を読み出すことがし難かった。そして、ＭＩＣに何らかの異常が発生した場合、その管理情報を読み出すことができなくなり、想定した使用形態がとれない虞がある。
【０００９】
本発明は、上述した事情に鑑みてなされたものであり、その目的は、複雑な構造にならずにクリーニングテープの使用範囲を正確に割り出すことができるクリーニングテープカートリッジ及びヘッドクリーニング方法並びに磁気テープドライブ装置を提供することにある。
【課題を解決するための手段】
【００１０】
本発明の上記目的は下記構成により達成される。
（１）  リールに巻回されたテープをカートリッジケースに内蔵してなるテープカートリッジであって、前記テープが、ヘッドをクリーニングするためのクリーニングテープを有し、該クリーニングテープにサーボ信号が記録されていることを特徴とするクリーニングテープカートリッジ。
【００１１】
このクリーニングテープカートリッジにおいては、サーボ信号が記録されているクリーニングテープに対し、磁気ヘッドを用いて管理情報が書き込まれる。そして、クリーニング使用時に、クリーニングテープに既に書き込まれている管理情報を読み出してクリーニングテープの未使用範囲を割り出し、その未使用範囲を用いてクリーニングを行う。従って、新たな書き込み・読み出し手段を用いることなく磁気ヘッドを用いて書き込み・読み出しを行うので、複雑な構造にならずにクリーニングテープの使用範囲を正確に割り出すことができる。
【００１２】
（２）  前記クリーニングテープの少なくとも始端側にデータの記録再生が可能な記録再生区間を有し、該記録再生区間に前記クリーニングテープの管理情報が記録されていることを特徴とする（１）記載のクリーニングテープカートリッジ。
【００１３】
このクリーニングテープカートリッジにおいては、クリーニングテープ上に記録再生区間が設けられるために、クリーニングテープとは別構成の記録再生区間を組み込むものと比べて、工数の削減を図ることができる。
【００１４】
（３）  前記管理情報が、前回使用終了時までのテープ終端到達回数を含むことを特徴とする（２）記載のクリーニングテープカートリッジ。
【００１５】
このクリーニングテープカートリッジにおいては、テープ終端到達回数が管理情報に含まれることにより、テープ終端到達回数が所定の限度回数を超えた場合に、そのクリーニングテープカートリッジの使用を拒むことができ、汚れたテープにより磁気ヘッドに汚れが付着することを未然に防止できる。
【００１６】
（４）  前記管理情報が、前回使用時におけるクリーニング終了位置を含むことを特徴とする（２）又は（３）記載のクリーニングテープカートリッジ。
【００１７】
このクリーニングテープカートリッジにおいては、前回使用時におけるクリーニング終了位置が管理情報に含まれることにより、前回の使用終了位置から今回のクリーニングを開始することができる。
【００１８】
（５）  記録再生ヘッドを備えた磁気テープドライブ装置のヘッドクリーニング方法であって、ドライブ装置に装填した前項（１）〜（４）のいずれか１項記載のクリーニングテープカートリッジからテープ始端を引き出し、前記ドライブ装置の記録再生ヘッドがサーボ信号の検出動作をしながら、前記テープを前記ドライブ装置の巻き取りリールに巻き付けるステップと、前記テープからサーボ信号が検出された場合に、前記記録再生ヘッドにより前記テープカートリッジに関する管理情報を読み取るステップと、前記管理情報に基づいて前記テープカートリッジを今回のクリーニング開始位置まで早送りするステップと、クリーニング開始位置から所定期間、記録再生ヘッドのクリーニングを行うステップと、クリーニング終了後、前記巻き取りリールから前記テープカートリッジにテープを巻き戻すステップと、前記管理情報を読み取ったテープ領域に今回のクリーニングに対する管理情報を記録するステップと、を有することを特徴とするヘッドクリーニング方法。
【００１９】
このヘッドクリーニング方法においては、クリーニングテープを巻き取りリールに巻き付ける際にドライブ装置の記録再生ヘッドがクリーニングテープ上のサーボ信号を検出して記録再生ヘッドによりテープカートリッジに関する管理情報を読み取り、その管理情報に応じてテープカートリッジをクリーニング開始位置まで早送りして、クリーニング開始位置から所定期間、記録再生ヘッドのクリーニングを行い、クリーニング終了後、巻き取りリールからテープカートリッジにテープを巻き戻す際に管理情報を読み取ったテープ領域に管理情報を記録する。これにより、新たな書き込み・読み出し手段を用いることなく記録再生ヘッドを用いて書き込み・読み出しを行うので、複雑な構造とならずにクリーニングテープの使用範囲を正確に割り出すことができる。
【００２０】
（６）  記録再生ヘッドを備えた磁気テープドライブ装置であって、装填されたカートリッジがクリーニングテープカートリッジであるかを識別するドライブ側識別手段と、前記ドライブ側識別手段がクリーニングテープカートリッジを識別した場合、（５）記載のヘッドクリーニング方法に基づいてテープ走行を制御する制御部と、を備えたことを特徴とする磁気テープドライブ装置。
【００２１】
この磁気テープドライブ装置においては、ドライブ側識別手段によって、充填されたカートリッジがクリーニングテープカートリッジであるか否かが識別されるために、ケース等に識別手段を設けたものと比べて誤識別をする虞がない。
【発明の効果】
【００２２】
本発明によれば、複雑な構造にならずにクリーニングテープの使用範囲を正確かつ確実に割り出すことができるクリーニングテープカートリッジ、ヘッドクリーニング方法及び磁気テープドライブ装置を提供できる。
【発明を実施するための最良の形態】
【００２３】
以下、本発明に係るクリーニングテープカートリッジ、ヘッドクリーニング方法及び磁気テープドライブ装置の好適な実施の形態例を図面に基づいて詳細に説明する。
【００２４】
図１は本発明に係るクリーニングテープカートリッジ、ヘッドクリーニング方法及び磁気テープドライブ装置の一実施形態に用いられるクリーニングテープカートリッジを示す外観斜視図である。
【００２５】
図１に示すように、クリーニングテープカートリッジ１００は、カートリッジケース１１内にカートリッジリール１３が回転自在に組み込まれており、このカートリッジリール１３に、走行テープであるクリーニングテープ１５を巻回して収納している。
【００２６】
クリーニングテープ１５は、始端側にリーダーテープ１７が配置され、リーダーテープ１７とクリーニングテープ本体１９とが所定の規格に基づいてスプライステープ２１によって接合されている。
【００２７】
次に、クリーニングテープ本体１９について詳細に説明する。図２（ａ）はテープ上のサーボトラックを概念的に示した説明図、図２（ｂ）は図２（ａ）のＡ部拡大説明図である。
【００２８】
図２(ａ)に示すように、クリーニングテープ本体１９は、表面粗さの大きい磁気テープからなり、複数列のサーボトラック２３を有する。
【００２９】
図２(ｂ)に示すように、サーボトラック２３は、磁性層に、磁気ヘッド（図３に示す）２５に対応したサーボフォーマットを有する。
【００３０】
【表１】
2006179058.tif 000003
【００３１】
リーダーテープ１７とクリーニングテープ本体１９との接合部は、表１に示すように、相互間の隙間が０〜５００μｍの範囲であり、継ぎ目段差が５００μｍ未満であり、スプライステープ２１の長さが１〜５００ｍｍである。
【００３２】
【表２】
2006179058.tif 000004
【００３３】
クリーニングテープ１５におけるクリーニングテープ本体１９の物性値は、表２に示す通りである。
クリーニングテープ１５は支持体上にクリーニング層を形成したものである。
クリーニング層としては、表面粗さの大きい磁性体層とすることができる。
支持体としては、磁気テープの支持体材料として従来から用いられているものを使用することができ、特に非磁性のものが好ましい。これらの例としては、上記に加えて、ポリエステル類（例、ポリエチレンテレフタレート（ＰＥＴ）、ポリエチレンナフタレート（ＰＥＮ）、ポリエチレンテレフタレートとポリエチレンナフタレートとの混合物、エチレンテレフタレート成分とエチレンナフタレート成分を含む重合物）、ポリオレフィン類（例、ポリプロピレン）、セルロース誘導体類（例、セルロースジアセテート、セルローストリアセテート）、ポリカーボネート、ポリアミド（中でも芳香族ポリアミド、アラミド）、ポリイミド（中でも全芳香族ポリイミド）などの合成樹脂フィルムを挙げることができる。これらの中では、ポリエチレンテレフタレート（ＰＥＴ）が好ましい。
【００３４】
次に、磁気テープドライブ装置について詳細に説明する。図３は磁気テープドライブ装置の内部構造説明図、図４は磁気テープドライブ装置のブロック構成図、図５は磁気テープドライブ装置の外観斜視図である。
【００３５】
図３に示すように、磁気テープドライブ装置２００は、ドライブ側識別手段である磁気ヘッド２５と、一対のガイドローラ２７，２７と、巻き取りリール２９と、アーム３１と、を備えている。
【００３６】
図４に示すように、磁気テープドライブ装置２００は、制御部３３と、駆動部３５と、テンション調整部３７と、表示部３９とを備えている。
【００３７】
図５に示すように、磁気テープドライブ装置２００は、本体４１の前面に、カートリッジ出入口４３と、インジケータ４５と、イジェクト釦４７とを配置している。
【００３８】
次に、クリーニングテープ１５の記録再生区間について説明する。図６はクリーニングテープ１５の始端側の説明図である。
【００３９】
図６に示すように、クリーニングテープ１５の始端側（ＢＯＴ：Ｂｅｇｉｎｎｉｎｇ  ｏｆ  Ｔａｐｅ）には、クリーニングテープ本体１９のリーダーテープ１７側に、記録再生区間４９を有する。記録再生区間４９はクリーニング機能を有する。
【００４０】
次に、磁気テープドライブ装置２００の動作について図７，８を用いて説明する。
図７はヘッドクリーニング方法を説明するフローチャート、図８（ａ）〜（ｈ）は動作説明図である。なお、本フローチャートではクリーニングモードの場合のみを記載する。
【００４１】
本動作の概要は、磁気テープドライブ装置２００に充填したクリーニングテープカートリッジ１００からテープ端部を引き出し、磁気テープドライブ装置２００の磁気ヘッド２５がサーボ信号の検出動作をしながら、クリーニングテープ１５を磁気テープドライブ装置２００の巻き取りリール２９に巻き付けるステップと、クリーニングテープ１５からサーボ信号が検出された場合に、磁気ヘッド２５によりクリーニングテープカートリッジ１００に関する管理情報を読み取るステップと、管理情報に応じてクリーニングテープカートリッジ１００を今回のクリーニング開始位置まで早送りするステップと、クリーニング開始位置から所定期間、磁気ヘッド２５のクリーニングを行うステップと、クリーニング終了後、巻き取りリール２９からクリーニングテープカートリッジ１００にクリーニングテープ１５を巻き戻すステップと、管理情報を読み取った記録再生区間４９に今回の管理情報を記録するステップと、を有するものである。
【００４２】
具体的には、図８(ａ)に示すように、磁気テープドライブ装置２００は、カートリッジ出入口２９からクリーニングテープカートリッジ１００が挿入されることにより制御動作が開始される（Ｓ１０１）。
【００４３】
次に、図８（ｂ）に示すように、アーム３１（図３参照）によってリーダーテープ１７が巻き取りリール２９の芯部に係止されると、巻き取りリール２９が回転し、カートリッジリール１３からリーダーテープ１７が引き出される。
【００４４】
そして、図８（ｃ）に示すように、磁気ヘッド２５にクリーニングテープ１５の始端が到達すると、サーボトラック２３が検出され、これを受けて、巻き取りリール２９が一旦停止される。そして、磁気ヘッド２５により、記録再生区間４９に書き込まれている情報が磁気ヘッド２５により読み出される（Ｓ１０２）。
【００４５】
この記録再生区間４９が読み出されることにより、挿入されたカートリッジがクリーニングテープカートリッジ１００であるか否かが判別されるとともに、テープ終端到達回数及び前回のクリーニング終了位置が読み出される。
【００４６】
ここで、読み出したテープ終端到達回数が予め設定された所定回数（例えば２０回）未満か否かが判別される（Ｓ１０３）。テープ終端到達回数が所定回数以上である場合には、表示部３９を通じてインジケータ４５で表示して警告表示を行い（Ｓ１０４）、新しいクリーニングテープカートリッジの使用を促す。
【００４７】
図８（ｄ）に示すように、テープ終端到達回数が所定回数未満である場合、前回使用時の終点位置まで早送りされ（Ｓ１０５）、その終点位置から磁気ヘッド２５に対するクリーニングが実行される（Ｓ１０６）。クリーニングは、例えば、クリーニングテープ本体１９が１０ｍ進行して２ｍ戻る動きを３分間繰り返し行う。早送りの際には、テンション調整部３７によってクリーニングテープ１５の磁気ヘッド２５に対する接触圧力を低減させる。
【００４８】
図８（ｅ）に示すように、所定のクリーニングが終了すると（Ｓ１０７）、その終了位置情報を制御部３３が記憶する（Ｓ１０８）。
【００４９】
そして、図８（ｆ）に示すように、巻き戻しが実行される（Ｓ１０９）。巻き戻しの際には、テンション調整部３７によってクリーニングテープ１５の磁気ヘッド２５に対する接触圧力が低減される。
【００５０】
図８（ｇ）に示すように、巻き戻しが進行され、磁気ヘッド２５にクリーニングテープ１５の始端が到達すると、巻き取りリール２９が一旦停止され、磁気ヘッド２５により、記憶した終了位置情報が記録再生区間４９に書き込まれる（Ｓ１１０）。
【００５１】
そして、図８（ｈ）に示すように、アーム３１（図３参照）によってリーダーテープ１７が巻き取りリール２９から外され、イジェクト釦４７（図５参照）が押されることによりクリーニングテープカートリッジ１００が排出される（Ｓ１１０）。
【００５２】
以上説明したように、本実施形態のクリーニングテープカートリッジ１００によれば、サーボ信号が記録されているクリーニングテープ１５に対し、磁気ヘッド２５を用いて管理情報が書き込まれる。そして、クリーニング使用時に、クリーニングテープ１５に既に書き込まれている管理情報を読み出してクリーニングテープ１５の未使用範囲を割り出し、その未使用範囲を用いてクリーニングを行う。クリーニング終了後には、今回の使用範囲やテープ終端到達回数等を更新する。これにより、別途に新たな書き込み・読み出し手段を用意することなく磁気ヘッド２５を用いて書き込み・読み出しを行うので、複雑な構造にならずにクリーニングテープ１５の使用範囲を正確かつ確実に割り出すことができる。
【００５３】
また、本実施形態のクリーニングテープカートリッジ１００によれば、クリーニングテープ１５上に記録再生区間４９が設けることにより、クリーニングテープとは別に磁気テープ等の記録再生区間を組み込むことなく構成を簡略化でき、また、クリーニングテープカートリッジ自体の製造工数の削減を図ることができる。
【００５４】
また、本実施形態のヘッドクリーニング方法によれば、クリーニングテープ１５を巻き取りリール２９に巻き付ける際に磁気テープドライブ装置２００の磁気ヘッド２５がクリーニングテープ１５上のサーボトラック２３を検出し、磁気ヘッド２５によりクリーニングテープカートリッジ１００に関する管理情報を読み取り、その管理情報に応じてクリーニングテープカートリッジ１００をクリーニング開始位置まで早送りして、クリーニング開始位置から所定期間、磁気ヘッド２５のクリーニングを行い、クリーニング終了後、巻き取りリール２９からクリーニングテープカートリッジ１００にクリーニングテープ１５を巻き戻す際に管理情報を読み取った記録再生区間４９に管理情報を記録する。これにより、新たな書き込み・読み出し手段を用いることなく記録再生ヘッドを用いて書き込み・読み出しを行うので、複雑な構造にならずにクリーニングテープ１５の使用範囲を正確に割り出すことができる。
【００５５】
また、本実施形態の磁気テープドライブ装置２００によれば、記録再生区間４９に記録された管理情報に基づいて、装填されたカートリッジがクリーニングテープカートリッジ１００であるか否かが識別されるため、接点の接触不良や故障が生じ得るメモリと比較して、より確実に識別することができる。このようなドライブ側識別手段は、上記構成に限らず、クリーニングテープか否かの情報として、例えば、カートリッジケースに穴や欠け等の識別形状を設けたものとしてもよい。
【００５６】
なお、本発明は、前述した実施形態に限定されるものではなく、適宜な変形、改良などが可能である。
例えば、クリーニングテープの長さ、使用回数の許容値等は、適用される磁気ヘッドの特性に応じて適宜選択設定されるのが好ましい。また、クリーニングの動作は、適用される磁気ヘッドの特性に応じて適宜設定される。
【図面の簡単な説明】
【００５７】
【図１】本発明に係るクリーニングテープカートリッジ、ヘッドクリーニング方法及び磁気テープドライブ装置の一実施形態に用いられるクリーニングテープカートリッジを示す外観斜視図である。
【図２】（ａ）はテープ上のサーボトラックを概念的に示した説明図、（ｂ）は（ａ）のＡ部拡大説明図である。
【図３】磁気テープドライブ装置の内部構造説明図である。
【図４】磁気テープドライブ装置のブロック構成図である。
【図５】磁気テープドライブ装置の外観斜視図である。
【図６】クリーニングテープの始端側の説明図である。
【図７】ヘッドクリーニング方法を説明するフローチャートである。
【図８】（ａ）〜（ｈ）は磁気テープドライブ装置のそれぞれ動作説明図である。
【符号の説明】
【００５８】
１１  カートリッジケース
１３  カートリッジリール（リール）
１５  クリーニングテープ（ドライブ側識別手段）
２５  磁気ヘッド（ヘッド）（ドライブ側識別手段）(記録再生ヘッド)
３３  制御部
４９  記録再生区間
１００  クリーニングテープカートリッジ（テープカートリッジ）
２００  磁気テープドライブ装置
【図１】
2006179058.tif 000005
【図２】
2006179058.tif 000006
【図３】
2006179058.tif 000007
【図４】
2006179058.tif 000008
【図５】
2006179058.tif 000009
【図６】
2006179058.tif 000010
【図７】
2006179058.tif 000011
【図８】
2006179058.tif 000012